(57)【要約】【課題】固定対象機器をワンタッチで迅速に支持部材に着脱でき、また固定後のロック状態を目視で容易に確認できる機器の固定装置を提供する。【解決手段】離脱位置から機器を前方へ押すと、前方の脚２は、受け金具３の受け溝３１３ａ内を前進して小径円孔部に進入し、抜け止めされる。後方の脚２は、受け金具４の受け溝４１３ａ内を前進してロックカム４２を回転させ、操作レバー４３を反対方向へ回転させる。機器Ａが固定位置に達すると、ロックカム４２の係合面が操作レバー４３の係止面に係合し、ロックカム４２はロック位置に拘束される。操作レバー４３と確認表示４１１ｂとの位置関係からロックを確認する。固定対象機器を支持部材Ｂから取り外す場合には、操作レバー４３を、ばね力に抗して非ロック位置側へ回転させる。ロックカム４２の係合面が操作レバー４３の係止面から外れ、ロックカム４２がばねの力で非ロック位置へ回転し、脚２を解放する。【選択図】図１
2012007623.tif 000002
【特許請求の範囲】
【請求項１】
固定対象機器を支持部材上で離脱位置から固定位置へ前進させることによって支持部材に固定し、反対方向へ後退させることによって支持部材から離脱させる装置であって、
機器の底部に前後方向に相互間隔を置いて固着される第１及び第２の少なくとも一対の脚と、これらの脚に対し前後方向に係合離脱自在に支持部材上に固着される第１及び第２の少なくとも前後一対の受け金具とを具備し、
前記第１及び第２の脚は、機器の底面から起立する軸部と、この軸部の先端に広がる鍔部とを具備し、
前記第１の受け金具は、支持部材の取り付け面上に固着される底板とこの底板との間に前記脚の鍔部を受け入れ可能な挿入空間を形成して当該底板に平行に配置される上板とを含む枠体を有し、上板は挿入空間に挿入される脚の軸部を移動自在に貫通させるように前後方向へ延びる受け溝を有し、
前記第２の受け金具は、支持部材の取り付け面上に固着される底板とこの底板との間に前記脚の鍔部を受け入れ可能な挿入空間を形成して当該底板に平行に配置される上板とを有し上板は挿入空間に挿入される脚の軸部を移動自在に貫通させるように後端縁から前方向へ延びる受け溝を有する枠体と、受け溝に対して左右に相対向するように配置されそれぞれ挿入空間内において底板と平行に回転自在に枠体に枢支されるロックカム及び操作レバーとを具備し、
前記第２の受け金具のロックカムは、主体部と、この主体部の両端から互いに対向するように延出する第１及び第２の一対の保持片とを有し、非ロック位置とロック位置との間を所定角度正逆回転自在で常時非ロック位置に回転付勢され、
前記ロックカムの第１の保持片は、前記上板の受け溝内を前進する脚の鍔部に押されてロックカムを非ロック位置からロック位置へ回転させる第１の当接面と、この当接面の延長面上の先端側に設けられる係合面と、先端部に設けられる摺動面とを有し、
前記ロックカムの第２の保持片は、前記上板の受け溝に挿入される脚の鍔部を前記第１の当接面との間に保持するように第１の当接面に対向し、ロック位置において鍔部の後方で受け溝を横断するように配置される第２の当接面を有し、
前記ロックカムの主体部は、ロック位置において脚の鍔部の左右一側面に対向する内側面を有し、
前記第２の受け金具の操作レバーは、枢支部から前記挿入空間内に延びる受動片と、枢支部から挿入空間の外方へ延出する操作片とを有し、非ロック位置とロック位置との間を所定角度正逆回転自在で常時非ロック位置に回転付勢され、
前記操作レバーの受動片は、摺動当接面と係止面とを有し、当該摺動当接面は、非ロック位置からロック位置へ回転する前記ロックカムの摺動面が摺接し、それによって操作レバーが非ロック位置からロック位置へ押し回されると共に、ロック位置において前記脚の鍔部を挟んでロックカムの内側面と左右に対向するように配置され、前記係止面は、ロック位置において前記ロックカムの第１の保持片上の係合面と係合してロックカムの非ロック位置への復帰を阻止するように配置され、
前記操作レバーの操作片は、前記上板の後端縁から固定位置にある固定対象機器の外縁の外方まで延出して、回転操作可能に構成され、
前記第２の受け金具の底板は、固定位置にある固定対象機器の外縁の外方まで延出し、前記操作レバーがロック位置にあることを目視確認できるように、ロック位置における前記操作片との所定の相対位置を表示するロック確認表示を具備することを特徴とする機器の固定装置。
【請求項２】
前記第１、第２の受け金具の底板は、前記上板の受け溝と対向する位置に、当該底板から前方斜め上に延出するばね舌片をそれぞれ具備し、このばね舌片により前記脚の鍔部の下面が弾性的に押し上げられ、当該鍔部がロック位置において上板の下面との間に弾性的に保持されることを特徴とする請求項１に記載の機器の固定装置。
【請求項３】
前記第１の受け金具の枠体は、前記受け溝の前方に位置して、固定位置にある脚を後方へ弾性的に押圧するばね部材を具備することを特徴とする請求項１又は2に記載の機器の固定装置。
【発明の詳細な説明】
【技術分野】
【０００１】
この発明は、コンピュータのような小型電子機器等の固定対象機器を車両などにおける取り付け面上に着脱自在に固定するための装置に関する。
【背景技術】
【０００２】
従来、例えば、航空機に搭載される機器については、固定部材を介して機体床面のシートトラックに固定する方法が知られている。その一例として、機器に固定された取付具の係合部をシートトラックに係合させ、ねじを締めることによって係合部をシートトラックに締め付けて固定するものが、特許文献１に記載されている。この方法では、シートトラックの溝部にシート固定部の係合部を挿入し、ハンドルを介して締め付けねじを回し、シート固定部を引き上げ、シートトラックをシート固定部とベースブロックとで挟むことにより、機器をシートトラックに固定している。ハンドルの締め付け後に、ハンドルに穿設された挿通穴を使用して、ベースブロックの挿通穴に回り止めピンを差し込むことにより、ハンドルの緩むことを防止する。緩み止め処置が行われたか否かは、回り止めピンが刺さっているか否かにより目視で確認できる。
【先行技術文献】
【特許文献】
【０００３】
【特許文献１】特開２０００−２２０６１１号公報
【発明の概要】
【発明が解決しようとする課題】
【０００４】
上記従来の機器の固定方法では、一般に複数の取付具が固定対象機器に固着されており、それらを個々にねじ締め操作によりシートトラックに締結する必要があるため、迅速に機器の着脱を行うことができない。緩み止め処置の作業もその確認作業も容易ではない。
したがって、この出願に係る発明は、固定対象機器をワンタッチで迅速に支持部材に対して着脱することができ、また固定後のロック状態を目視で容易に確認することができる機器の固定装置を提供することを目的としている。
【課題を解決するための手段】
【０００５】
以下、添付図面の符号を参照して説明するが、本発明はこれに限定されるものではない。
上記課題を解決するための、この出願に係る発明の機器の固定装置１は、コンピュータのような固定対象機器Ａを支持部材Ｂ上で離脱位置から固定位置へ前進させることによって、これを支持部材Ｂに固定し、反対方向へ後退させることによって支持部材Ｂから離脱させる装置であって、機器Ａの底部に前後方向に相互間隔を置いて固着される第１及び第２の少なくとも一対の脚２と、これらの脚２に対し前後方向に係合離脱自在に支持部材Ｂ上に固着される第１及び第２の少なくとも前後一対の受け金具３，４とを具備する。第１及び第２の脚２は、機器Ａの底面から起立する軸部２１と、この軸部２１の先端に広がる鍔部２２とを具備する。第１の受け金具３は、底板３１１と上板３１３とを含む枠体３１を具備する。底板３１１は、支持部材Ｂの取り付け面Ｂ１上に固着され、上板３１３は底板３１１との間に脚２の鍔部２２を受け入れ可能な挿入空間Ｓを形成して底板３１１と平行に配置される。また上板３１３は、挿入空間Ｓに挿入される脚の軸部２１を移動自在に貫通させるように前後方向へ延びる受け溝３１３ａを有する。第２の受け金具４は、底板４１１と上板４１３とを含む枠体４１と、枠体４１の左右に枢支されるロックカム４２と操作レバー４３とを具備する。枠体４１の底板４１１は、支持部材Ｂの取り付け面Ｂ１上に固着され、上板４１３は、底板４１１との間に脚の鍔部２２を受け入れ可能な挿入空間Ｓを形成して底板４１１と平行に配置される。また上板４１３は、挿入空間Ｓに挿入される脚の軸部２１を移動自在に貫通させるように後端縁から前方向へ延びる受け溝４１３ａを有する。ロックカム４２と操作レバー４３は、受け溝４１３ａに対して左右に相対向するように配置され、それぞれ挿入空間内Ｓにおいて底板４１１と平行に回転自在である。ロックカム４２は、主体部４２１と、それの両端から互いに対向するように延出する第１及び第２の一対の保持片４２２，４２３とを有し、非ロック位置とロック位置との間を所定角度正逆回転自在であり、かつ常時非ロック位置に回転付勢される。ロックカム４２の第１の保持片４２２は、上板４１３の受け溝４１３ａ内を前進する脚の鍔部２２に押されてロックカム４２を非ロック位置からロック位置へ回転させる第１の当接面４２２ａと、この当接面の延長面上の先端側に設けられる係合面４２２ｂと、先端部に設けられる摺動面４２２ｃとを具備する。ロックカムの第２の保持片４２３は、上板４１３の受け溝４１３ａに挿入される脚の鍔部２２を第１の当接面４２２ａとの間に保持するように、第１の当接面に対向する第２の当接面４２３ａを具備する。第２の当接面４２３ａは、ロック位置において、鍔部２２の後方で受け溝４１３ａを横断するように配置される。ロックカム４２の主体部４２１は、ロック位置において脚の鍔部２２の左右一側面に対向する内側面４２１ａを具備する。第２の受け金具４の操作レバー４３は、枢支部から挿入空間Ｓ内に延びる受動片４３１と、枢支部から挿入空間Ｓの外方へ延出する操作片１３２とを具備し、非ロック位置とロック位置との間を所定角度正逆回転自在であり、常時非ロック位置に回転付勢される。操作レバー４３の受動片４３１は、摺動当接面４３１ａと係止面４３１ｂとを具備する。摺動当接面４３１ａは、非ロック位置からロック位置へ回転するロックカム４２の摺動面４２２ｃがこれに摺接し、それによって操作レバー４３が非ロック位置からロック位置へ押し回され、またロック位置においは脚の鍔部２２を挟んでロックカム４２の内側面と左右に対向する。係止面４３１ｂは、ロック位置においてロックカム４２の第１の保持片上の係合面４２２ｂと係合することにより、ロックカム４２が非ロック位置復帰するのを阻止するように配置される。操作レバー４３の操作片４３２は、上板４１３の後端縁から、固定位置にある固定対象機器Ａの外縁Ａ１の外方まで延出して、回転操作可能に構成される。第２の受け金具４の底板４１１は、固定位置にある固定対象機器Ａの外縁の外方まで延出し、操作レバー４３がロック位置にあることを目視確認できるように、ロック位置における操作片４３２との所定の相対位置を表示するロック確認表示４１１ｂを具備する。
【発明の効果】
【０００６】
この出願に係る発明の装置によれば、コンピュータのような固定対象機器Ａを支持部材Ｂ上で離脱位置から固定位置へ前進させる単純な操作によって、これを支持部材Ｂに固定してロックすることができ、ロック状態を第２の受け金具４の操作レバー４３とロック確認表示４１１ｂとの相対位置により容易に目視確認することができ、不完全な固定による脱落を防止することができる。
【図面の簡単な説明】
【０００７】
【図１】本発明の実施形態に係る機器の固定装置の分解斜視図である。
【図２】図1の固定装置の使用状態における断面図である。
【図３】図1の固定装置における第１の受け金具の取り付け例を示す平面図である。
【図４】図1の固定装置における第１の受け金具の横断平面図である。
【図５】図1の固定装置における第１の受け金具の縦断側面である。
【図６】図1の固定装置における第２の受け金具の非ロック状態における横断平面図である。
【図７】図1の固定装置における第２の受け金具の動作途上における横断平面図である。
【図８】図1の固定装置における第２の受け金具のロック状態における横断平面図である。
【図９】図1の固定装置における第２の受け金具の分解斜視図である。
【図１０】図1の固定装置における脚の側面図である。
【発明を実施するための形態】
【０００８】
図面を参照してこの発明の実施の形態を説明する。
図１，２において、機器の固定装置１は、コンピュータ等の固定対象機器Ａ（図２）を支持部材Ｂの取り付け面Ｂ１上の所定の固定位置に固定してロックする装置である。固定対象機器Ａは、固定装置１から離脱した位置から前進させることによって固定装置１にロックされ、ロックを解除して反対方向へ後退させることによって固定装置１から離脱させる。
【０００９】
機器の固定装置１は、機器Ａの底部に前後方向に相互間隔を置いて固着される第１及び第２の少なくとも一対の脚２と、これらの脚２に対し前後方向に係合離脱自在に支持部材Ｂ上に固着される第１及び第２の少なくとも前後一対の受け金具３，４とを具備する。図２に示す実施形態においては、対象機器Ａの底面に４つの脚２が固着され、支持部材Ｂ上に２対の受け金具３，４が固着される。
【００１０】
第１及び第２の脚２は、同形のもので、図１，２，１０に示すように、機器Ａの底面から起立する（下方へ延出する）軸部２１と、この軸部の先端に広がる大径の鍔部２２と、その上方に間隔２３を置いて広がる小径の鍔部２４を具備する。軸部２１は、機器Ａのケースの底面に螺合固定される。
【００１１】
第１の受け金具３は、支持部材Ｂの取り付け面Ｂ１上に固定され、機器Ａの前方の脚２を係合離脱自在に受け入れる枠体３１と枠体内に設けられる前方保持ばね３２とを具備する。
【００１２】
図４，５によく示すように、枠体３１は、支持部材の取り付け面Ｂ１上に固着される底板３１１と、底板から直角に起立して前後方向に延びる左右側板３１２と、底板３１１と平行に側板３１２間に連続し底板との間に脚２の鍔部２２を受け入れ可能な挿入空間Ｓを形成する上板３１３と、上板の前端縁から直角下方へ延出する前板３１４とを具備する。
【００１３】
上板３１３は、挿入空間Ｓに挿入される脚２の軸部２１を移動自在に貫通させるように前後方向へ延びる受け溝３１２ａを有する。受け溝３１２ａは、大径円孔の前方に小径円孔が連続して形成されたダルマ孔で、大径円孔部に鍔部２２を受け入れ可能で、小径円孔部には軸部２１のみを受け入れ可能である。
【００１４】
底板３１１には、上板の受け溝３１２ａの前部と対応する位置にばね舌片３１１ａが形成される。舌片３１１ａは、底板３１１から前方斜め上に延出し、そのばね力により、挿入された脚２の鍔部２２を上方へ押し上げるように弾発保持する。
【００１５】
前方保持ばね３２は、前板３１４の内側面に一端が固着された板ばねで、挿入空間Ｓの内方へ向かって膨らむように湾曲しており、挿入された脚２の鍔部２２を後方へ押し下げるように弾発保持する。
【００１６】
第２の受け金具４は、枠体４１と、枠体４１内の左右に設けられるロックカム４２と操作レバー４３とを具備する。
【００１７】
枠体４１は、支持部材の取り付け面Ｂ１上に固着される底板４１１と、底板から直角に起立して前後方向に延びる左右側板４１２と、底板４１１と平行に側板４１２間に連続し底板との間に脚２の鍔部２２を受け入れ可能な挿入空間Ｓを形成する上板４１３と、上板の前端縁から直角下方へ延出する前板４１４とを具備する。
【００１８】
底板４１１には、上板４１３の受け溝４１３ａの前部と対応する位置にばね舌片４１１ａが形成される。舌片４１１ａは、底板４１１から前方斜め上に延出する。
【００１９】
上板４１３は、挿入空間Ｓに挿入される脚２の軸部２１を移動自在に貫通させるように後端縁から前方向へ延びる受け溝４１３ａを有する。受け溝４１３ａは、後端縁に開放する幅広部の前方に幅狭部が連続して形成されたダルマ型で、幅広部に上下方向に鍔部２２を受け入れ可能で、幅狭部には小径の軸部２１のみを受け入れ可能である。
【００２０】
ロックカム４２と操作レバー４３は、受け溝４１３に対して左右に相対向するように配置され、それぞれ枢軸４４，４５で枠体４１に枢支され、挿入空間Ｓ内において底板４１１と平行に回転自在である。
【００２１】
ロックカム４２は、主体部４２１と、この主体部の両端から互いに対向するように延出する第１及び第２の一対の保持片４２２，４２３とを有し、非ロック位置（図６）とロック位置（図８）との間を所定角度正逆回転自在であり、常時はばね４６で非ロック位置に回転付勢される。
【００２２】
第１の保持片４２２は、上板の受け溝内４１３ａを前進する脚２の鍔部２２に押されてロックカム４２を非ロック位置からロック位置へ回転させる第１の当接面４２２ａと、この当接面の延長面上の先端側に設けられる係合面４２２ｂと、先端部に設けられる摺動面４２２ｃとを有する。第２の保持片４２３は、受け溝４１３ａに挿入される脚の鍔部２２を第１の当接面４２２ａとの間に保持するように、これとほぼ平行に対向する第２の当接面４２３ａを有する。当接面４２３ａは、ロック位置（図８）において鍔部２２の後方に位置し、受け溝４１３ａを横断するように配置される。主体部４２１は、ロック位置において脚の鍔部２２の右側面に対向する内側面４２１ａを有する。
【００２３】
操作レバー４３は、枢支部から挿入空間内に延びる受動片４３１と、枢支部から挿入空間Ｓの外方へ延出する操作片４３２と、受動片４３１先端へ突出するストッパ片４３３を有する。操作レバー４３は、ストッパ片４３３を枠体の前板４１４に形成された開口４１４ａに貫通させ、枢軸４５を中心に、開口４１４ａの範囲で、非ロック位置（図６）とロック位置（図８）との間を所定角度正逆回転自在であり、常時はばね４７で非ロック位置に回転付勢される。
【００２４】
受動片４３１は、摺動当接面４３１ａと係止面４３１ｂとを有する。摺動当接面４３１ａには、非ロック位置からロック位置へ回転するロックカムの摺動面４２２ｃが摺接し、それによって操作レバー４３が非ロック位置からロック位置へ押し回される。摺動当接面４３１ａは、図８に示すロック位置において、脚の鍔部２２を挟んでロックカムの内側面４２１ａと左右に対向するように配置される。係止面４３１ｂは、ロック位置において、第１の保持片４２２上の係合面４２２ｂと係合してロックカム４２の非ロック位置への復帰を阻止するように配置される。
【００２５】
図３に示すように、操作片４３２は、上板４１３の後端縁から固定位置にある固定対象機器Ａの外縁Ａ１の外方まで延出し、外側から回転操作可能に構成される。
【００２６】
底板４１１は、固定位置にある固定対象機器Ａの外縁Ａ１の外方まで延出し、操作レバー４３がロック位置にあることを目視確認できるように、ロック位置における操作片４３２との所定の相対位置を表示するロック確認表示４１１ｂを具備する。
【００２７】
固定対象機器Ａを支持部材Ｂ上に固定する場合には、後方の脚２を受け金具４の受け溝４１３ａの幅広部に配置すると共に、前方の脚２を受け金具３の受け溝３１３ａの大径孔部に対応させてこれに落とし込み（図２の離脱位置）、前方へ押し込めば、自動的に所定の固定位置においてロックされる。
【００２８】
すなわち、図３，６の離脱位置から機器Ａを前方（図において上方）へ押すと、図７のように、脚２がロックカム４２の第１の当接面４２２ａに当接してロックカム４２を枢軸４４を中心に時計方向へ回転させ、この間、摺動面４２２ｃが操作レバー４３の摺接面４３１ａに摺接しつつ、これを、枢軸４５を中心に反時計方向へ回転させる。機器Ａが固定位置に達すると、ロックカム４２の摺動面４２２ｃが操作レバー４３の摺接面４３１ａから外れ、同時に操作レバー４３がばね４７により時計方向へ回転して、図８に示すロック位置に至る。この状態において、ロックカム４２の係合面４２２ｂが操作レバー４３の係止面４３１ｂに係合し、ロックカム４２はロック位置に拘束される。固定対象機器Ａの脚２は、固定位置に至り、その前後側面が第１，第２の当接面４２２ａ，４２３ａ対面するから、離脱位置へ後退させることができず、この位置で拘束される。この間、前方の脚２が前方保持ばね３２によって後方へ弾性的に押される一方、後方の脚２がロックカム４２の当接面４２２ａに当接し、また前後の脚２が板ばね３１１ａ，４１１ａにより上方へ弾性的に押し上げられ、鍔部２２の上面が上板３１３，４１３の下面に圧接されるから、固定対象機器Ａは前後、上下に弾性的に保持されることになる。機器Ａが確実に固定位置においてロックされたかどうかは、操作レバー４３の先端部と受け金具４の確認表示４１１ｂとの位置関係から容易に確認できる。振動や衝撃により機器Ａが支持部材Ｂから不用意に離脱することはない。
【００２９】
固定対象機器Ａを支持部材Ｂから取り外す場合には、機器Ａの外縁Ａ１から外方へ延出している操作レバー４３を、ばね力に抗して非ロック位置側（図８において反時計方向）へ回転させればよい。ロックカム４２の係合面４２２ｂが操作レバー４３の係止面４３１ｂから外れ、ロックカム４２がばね４６の力で非ロック位置側（反時計方向）へ回転すると同時に、脚２を受け溝４１３ａに沿って後方の離脱位置側へ押し出す。この状態で機器Ａを支持部材Ｂから取り外すことができる。
【符号の説明】
【００３０】
１    固定装置
２    脚
２１  軸部
２２  大径鍔部
２３  間隔
２４  小径鍔部
３    第１の受け金具
３１  枠体
３１１  底板
３１２  側板
３１３  上板
３１３ａ  受け溝
３１４  前板
３１  前方保持ばね
４    第２の受け金具
４１  枠体
４１１  底板
４１１ａ  板ばね
４１１ｂ  ロック位置確認表示
４１２  側板
４１３  上板
４１３ａ  受け溝
４１４  前板
４２  ロックカム
４２１  主体部
４２１ａ  内側面
４２２  第１保持片
４２２ａ  第１当接面
４２２ｂ  係合面
４２２ｃ  摺動面
４２３  第２保持片
４２３ａ  第２当接面
４３  操作レバー
４３１  受動片
４３１ａ  摺接面
４３１ｂ  係止面
４３２  操作片
４３３  ストッパ片
４４  枢軸
４５  枢軸
４６  ばね
４７  ばね
Ａ    固定対象機器
Ａ１  機器の外縁
Ｂ    支持部材
Ｂ１  取り付け面
【図１】
2012007623.tif 000003
【図２】
2012007623.tif 000004
【図３】
2012007623.tif 000005
【図４】
2012007623.tif 000006
【図５】
2012007623.tif 000007
【図６】
2012007623.tif 000008
【図７】
2012007623.tif 000009
【図８】
2012007623.tif 000010
【図９】
2012007623.tif 000011
【図１０】
2012007623.tif 000012